(57)【特許請求の範囲】
【請求項１】
空気圧を用いて弾丸を発射する銃と、前記銃の前方に一定な距離をもって配置されるターゲットとを含む射撃ゲーム装置において、
前壁に少なくとも一つの開口部を有するハウジングと、
前記銃を支持するために前記前壁の開口部の内側に装着される銃支持手段と、
少なくとも一つのターゲットを装着するために前記銃の前方に一定な距離をもって装着されたターゲット装着手段とが設けられ、
しかも、前記銃支持手段は、
前記開口部の内径より小さい外径を有する回転リングと、
前記回転リングが開口部に回転可能に位置するように前記開口部の上側及び下側で前壁に連結される一対のコネクタと、
前記回転リングの回転軸と直角をなすように回転リングに装着される一対のスタッドと、
前記各スタッドが挿入されて回転可能に支持される一対の連結プレートと、
前記各連結プレートを前記銃に固定するためのボルトとからなり、
さらに、前記ターゲット装着手段は、
ターゲットを移動するための移動手段と、
前記移動手段を駆動するための駆動手段と、
前記移動手段に水平に装着され、"Ｔ"状の少なくとも一つのスロットを有する少なくとも一つのターゲットホルダーと、
前記ターゲットホルダーのスロットに挿入されて装着される少なくとも一つのターゲットとからなることを特徴とする射撃ゲーム装置。
【請求項２】
前記ハウジングの前壁は透明な板部材よりなることを特徴とする請求項１に記載の射撃ゲーム装置。
【請求項３】
前記コネクタは、
前壁の開口部の縁にかみ合うことができるように凹部が形成されている"Ｕ"状の連結ブラケットと、
一端は前記連結ブラケットに固定され、その他端は前記回転リングが回転可能に連結されるように階段部が形成されているシャフトと、よりなることを特徴とする請求項１又は２に記載の射撃ゲーム装置。
【請求項４】
前記回転リングは前記回転リング上で最長距離をもって対向するように前記回転リングの軸線方向に突出された一対の突起を備えており、それぞれの突起には連結ホールが形成されていて前記シャフトの階段部が挿入されて回転可能に連結されることを特徴とする請求項３に記載の射撃ゲーム装置。
【請求項５】
前記ターゲットは本体と、該本体に狭いネックにより連結される掛け片と、よりなることを特徴とする請求項１に記載の射撃ゲーム装置。
【請求項６】
前記ターゲットホルダーのスロットは前記ターゲットの掛け片が挿入されることができるように形成された前記掛け片と同じ幅の広い領域と、前記掛け片が掛けられるように形成された狭い領域と、よりなることを特徴とする請求項５に記載の射撃ゲーム装置。
【請求項７】
前記ターゲットは、前記スロットの広い領域を通して前記掛け片を挿入してから前記ターゲットのネックを前記スロットの狭い領域にかみ合った状態でターゲットを下方に引くことによって、ターゲットホルダーと結合されることを特徴とする請求項６に記載の射撃ゲーム装置。
【請求項８】
弾丸がハウジングの壁に衝突した時に発生する衝撃を吸収するためにハウジングの内壁に適用された緩衝手段を更に含むことを特徴とする請求項１に記載の射撃ゲーム装置。
【請求項９】
前記緩衝手段はプレートの表面に適用された多数の弾性部材よりなることを特徴とする請求項８に記載の射撃ゲーム装置。
【発明の詳細な説明】
【０００１】
【発明の属する技術分野】
本発明は射撃ゲーム装置に関し、より詳しくはゲーム装置の内壁に衝撃緩和手段を設置することによって弾丸がゲーム装置の壁にぶつかって破損することを防止することができ、ハウジングに銃を固定させることによって銃の盗難を防止するだけでなく遊戯者がターゲットに照準を合わせる時安定感を与え、ターゲットの装着を容易に行えるよう改善した射撃ゲーム装置に関するものである。
【０００２】
【従来の技術】
従来、空圧銃を用いて前方のターゲットを撃つことにより景品を得られるゲーム機が知られている。
【０００３】
図１は遊戯者が空圧銃を用いてターゲットに照準を合わせ、弾丸を発射するようにデザインした従来の射撃ゲーム装置を示し、図２は前記射撃ゲーム装置に装着される、景品を吊り下げているターゲットを示している。
【０００４】
図１及び図２に示すように、従来の射撃ゲーム装置１０２は一対の回転チェーン１０１により支持されるように両端が前記チェーン１０１の間に水平に跨られる多数のターゲットホルダー１００を備えており、前記ターゲット１０３は前記チェーン１０１の回転によって動かすようになる。前記ターゲット１０３は命中時吊り下げられている景品が落ちるようにするために破れ易い材質で作られる。
【０００５】
前記射撃ゲーム装置１０２は前記ハウジングの壁に前記ターゲット１０３に向かうように形成された一つ以上の銃据置口１０４を備えているので、銃口は前記銃据置口１０４に差し込まれた状態で前記ターゲットに向かうようになる。前記銃は射撃が行われない時には前記ハウジングの下部に設置されている銃保管台１０６に保管される。
【０００６】
しかしながら、前記従来の射撃ゲーム装置は前記銃が銃据置口１０４のみにより支持されるので照準を合わせることが困難であり、射撃を行わない時には別途の銃保管台１０６に保管しているので紛失の恐れがある。
【０００７】
また、弾丸は空圧の空気圧により発射されるのでハウジングの壁にぶつかる衝撃により破損する恐れがある。
【０００８】
さらに、前記ターゲットを新しいものに取替えるためには、前記ターゲットホルダー１００をチェーン１０１から分離し、新しいターゲット１０３を前記ターゲットホルダー１００に装着してから再び前記チェーン１０１に結合しなければならないので、ターゲットの取替作業が煩わしくて取替に多くの時間が所要されるという問題点があった。
【０００９】
【発明が解決しようとする課題】
従って、本発明は前記の問題点を解決するために案出したものであって、本発明は射撃ゲーム装置のハウジングの内壁に緩衝部材を適用することによって、弾丸がハウジングの壁にぶつかって破損することを防止することができる射撃ゲーム装置を提供することにその目的がある。
【００１０】
本発明の他の目的は銃据置口に銃を回転可能に固定させることによって照準を合わせる時安定感を与えるだけでなく、銃の紛失を防止することができる射撃ケーム装置を提供することにある。
【００１１】
本発明の更に他の目的はターゲットの取替時ターゲットホルダーを分離しなくても取替が可能なように、ターゲットを装着する方法を簡素化させてターゲットの取替時の手間を省くことができる射撃ゲーム装置を提供することにある。
【００１２】
【課題を解決するための手段】
前記目的を達成するために、本発明の請求項１に記載の射撃ゲーム装置は、空気圧  を用いて弾丸を発射する銃と、前記銃の前方に一定な距離をもって配置されるターゲッ  トとを含む射撃ゲーム装置において、前壁に少なくとも一つの開口部を有するハウジン  グと、前記銃を支持するために前記前壁の開口部の内側に装着される銃支持手段と、少  なくとも一つのターゲットを装着するために前記銃の前方に一定な距離をもって装着さ  れたターゲット装着手段とが設けられ、しかも、前記銃支持手段は、前記開口部の内径  より小さい外径を有する回転リングと、前記回転リングが開口部に回転可能に位置する  ように前記開口部の上側及び下側で前壁に連結される一対のコネクタと、前記回転リン  グの回転軸と直角をなすように回転リングに装着される一対のスタッドと、前記各スタ  ッドが挿入されて回転可能に支持される一対の連結プレートと、前記各連結プレートを  前記銃に固定するためのボルトとからなり、さらに、前記ターゲット装着手段は、ター  ゲットを移動するための移動手段と、前記移動手段を駆動するための駆動手段と、前記  移動手段に水平に装着され、"Ｔ"状の少なくとも一つのスロットを有する少なくとも一つのターゲットホルダーと、前記ターゲットホルダーのスロットに挿入されて装着される少なくとも一つのターゲットとからなることを特徴とするものである。
【００１３】
本発明の請求項２に記載の射撃ゲーム装置は、請求項１の構成に加えて、前記ハウジングの前壁は透明な板部材よりなることを特徴とするものである。
【００１５】
本発明の請求項３に記載の射撃ゲーム装置は、請求項１又は２の構成に加えて、前記コネクタは、前壁の開口部の縁にかみ合うことができるように凹部が形成されている"Ｕ"状の連結ブラケットと、一端は前記連結ブラケットに固定され、その他端は前記回転リングが回転可能に連結されるように階段部が形成されているシャフトと、よりなることを特徴とするものである。
【００１６】
本発明の請求項４に記載の射撃ゲーム装置は、請求項３の構成に加えて、前記回転リングは前記回転リング上で最長距離をもって対向するように前記回転リングの軸線方向に突出された一対の突起を備えており、それぞれの突起には連結ホールが形成されていて前記シャフトの階段部が挿入されて回転可能に連結されることを特徴とするものである。
【００２０】
本発明の請求項５に記載の射撃ゲーム装置は、請求項１の構成に加えて、前記ターゲットは本体と、該本体に狭いネックにより連結される掛け片と、よりなることを特徴とするものである。
【００２１】
本発明の請求項６に記載の射撃ゲーム装置は、請求項５の構成に加えて、前記ターゲットホルダーのスロットは前記ターゲットの掛け片が挿入されることができるように形成された前記掛け片と同じ幅の広い領域と、前記掛け片が掛けられるように形成された狭い領域と、よりなることを特徴とするものである。
【００２２】
本発明の請求項７に記載の射撃ゲーム装置は、請求項６の構成に加えて、前記ターゲットは、前記スロットの広い領域を通して前記掛け片を挿入してから前記ターゲットのネックを前記スロットの狭い領域にかみ合った状態でターゲットを下方に引くことによって、ターゲットホルダーと結合されることを特徴とするものである。
【００２３】
本発明の請求項８に記載の射撃ゲーム装置は、請求項１の構成に加えて、弾丸がハウジングの壁に衝突した時に発生する衝撃を吸収するためにハウジングの内壁に適用された緩衝手段を更に含むことを特徴とするものである。
【００２４】
本発明の請求項９に記載の射撃ゲーム装置は、請求項８の構成に加えて、前記緩衝手段はプレートの表面に適用された多数の弾性部材よりなることを特徴とするものである。
【００３３】
【発明の実施の形態】
以下、本発明の望ましい実施の形態を図面に基づき詳しく説明する。
【００３４】
図３は本発明の望ましい実施の形態による射撃ゲーム装置の概略図である。
【００３５】
図３に示すように、本発明の射撃ゲーム装置は四角ボックス状のハウジング１と、多数のターゲットを配置するために前記ハウジング１の後壁の近くに設置されたターゲット装着手段、銃を支持するために前記ハウジング１の前壁４に形成された開口部に装着された銃支持手段８と、よりなる。前記銃はエアコンプレッサ(図示せず)から供給される圧縮空気を用いて弾丸を発射する。
【００３６】
図４乃至図８は前記銃支持手段８が前記ハウジング１に組立て装着される方法を説明するための斜視図である。
【００３７】
図に示すように、前記銃支持手段８は前記ハウジング１の前壁４に形成された開口部６に固定装着される。前記前壁４は遊戯者がターゲットを見ながら照準を合わせることができるようにプラスチックまたはガラスのような透明な材質より構成される。ここで、前記前壁４は全面が透明である必要はなく、遊戯者がターゲットを目視するのに必要な部分のみを透明な材質で構成してもかまわない。
【００３８】
前記銃支持手段８は前記開口部６の内径より少し小さい外径を有する回転リング１４と、前記回転リング１４を前記前壁４に対し回転可能になるように、前記開口部６の円周縁の上下に連結するための一対のコネクタ１０と、前記銃２を回転リング１４に回転可能に連結するために、同軸線上で対向するように前記回転リング１４上に装着される一対のスタッド１６とよりなる。
【００３９】
前記回転リング１４は、互いに対向するように且つ、回転リング１４と直角方向（回転リング１４の軸線方向）に向かって突出されている一対の突起１２を備えており、それぞれの突起には連結ホール４６が形成されている。尚、前記連結ホール４６の軸線は、前記回転リングの軸線と直交することが好ましい。
【００４０】
前記それぞれのコネクタ１０はブラケット３２とシャフト３６とよりなっている。前記ブラケット３２は前記開口部６で前壁４にかみ合うことができるように“Ｕ”状の凹部を備えており、前記凹部を横切るように形成された同軸ホール３８を備えている。前記シャフト３６の一端部は前記ブラケット３２の凹部の反対側（凹部の開口部が形成された面の対向面）に形成された挿入ホール３４に挿入されるように形成され、前記挿入ホール３４に挿入後、前記ブラケットの同軸ホール３８と同軸をなすように形成された貫通ホール４０を備えている。その他端部には本体の直径より小さい階段部４４と前記階段部４４の端部に螺旋部４８が形成されていて、前記階段部４４は前記回転リング１４の突起１２に形成された連結ホール４６に挿入された後、前記螺旋部４８にナット５０を螺着することにより回転可能に装着される。
【００４１】
前記スタッド１６は前記回転リング１４上に前記突起１２と９０°角度の位置、つまり、一対の突起１２が配置されている方向と直角する方向の位置に、同軸線上に対向するように設置され、それぞれのスタッド１６の一端部には本体の直径より小さい直径を有する階段部１８と前記階段部１８の端部に螺旋部２０とが形成されていて、前記階段部１８を連結プレート２２に形成されたホール２４に挿入した後、ナットで締めることによって前記銃２を前記回転リング１４に回転可能に装着することができる。
【００４２】
従って、ボルト２８を前記連結プレート２２の下部に形成されている固定ホール３０に貫通させ前記銃２の銃身の下端部に形成されたホール(図示せず)に挿入して締めることによって、前記銃２は前記スタッド１６に回転可能に装着される。
【００４３】
以下、前記回転リングが前記銃と共にハウジングに装着される過程を説明する。
【００４４】
まず、前記コネクタ１０のシャフト３６は、前記シャフト３６の階段部４４を回転リング１４の突起１２に形成された連結ホール４６に挿入し前記階段部４４の端部に形成された螺旋部４８にナット５０を締め込むことによって、前記回転リング１４に連結される。前記シャフト３６の一端部は前記シャフトの貫通ホール４０が前記ブラケット３２の同軸ホール３８と同軸に配置されるように前記ブラケット３２の挿入ホール３４に挿入され、前記ブラケット３２は前記前壁４の前記開口部６の上下側に形成されたホールと前記ブラケット３２に形成されたそれぞれの同軸ホール３８及び前記シャフトに形成された貫通ホール４０が並んで配置されるように前記前壁４にかみ合う。この状態で前記ボルト４２を前記ホール３８に締め込むことによって前記回転リング１４は前記シャフト３６を軸として前記開口部６内で回転するようになる。
【００４５】
次に、前記二つの連結プレート２２の間に前記銃２を位置させた状態で、前記銃の銃身の下端部に形成されているホール(図示せず)及び前記プレート２２の下端部に形成されているホール３０を貫通するようにボルト２８を挿入して締め、前記連結プレート２２に形成されたホール２４を対応する両側のスタッド１６の階段部１８に挿入させた後、ナット２６を前記階段部１８の端部に形成された螺線部２０に締め込むことによって、前記銃２は回転リング１４に回転可能に連結される。従って、前記銃２は前記シャフト３６の回転軸と直角である前記スタッド１６を軸として回転リング１４に回転可能に装着される。
【００４６】
図９は本発明による射撃ゲーム装置のターゲットホルダー及びターゲットを示す斜視図である。
【００４７】
図９に示すように、前記ターゲットホルダー７０は“Ｔ”状の多数個のスロット７１を備えており、前記ターゲット６０は本体６２と、前記ターゲット６０が前記ターゲットホルダー７０に装着されることができるように前記本体６２から延長され前記スロット７１と対応する“Ｔ”状の掛け片６３とよりなる。前記ターゲット６０は、前記ターゲット６０の掛け片６３を前記スロット７１の広い開口部７１aを通して挿入してから前記ターゲットの本体６２と掛け片６３とを連結する狭いネック６４を前記スロットの狭い開口部７１bにかみ合うように位置させ下方に引くことによって、前記ターゲットホルダー７０に装着されるようになる。
【００４８】
前記ターゲットは下部に景品６１を吊り下げており、命中時前記景品６１が落下するように破れ易い材質で作られることが望ましい。
【００４９】
図１１は本発明の射撃ゲーム装置のハウジングの内壁に適用された緩衝部材を示している。
【００５０】
図１１に示すように、前記緩衝部材８０はプレート８２の内面に一定な密度で形成されている弾性棒８４から構成されている。前記緩衝部材８０は上側、後側及び左右側の壁面に適用され、前記弾性棒８４により壁に対する弾丸の衝撃が吸収される。また、前記緩衝部材８０は、前記前壁４の内壁に適用してもよいが、この場合、遊戯者が前記銃２で前記ターゲット７０に照準を合わせる、つまり前記ターゲット７０を目視できるようにすることが好ましい。例えば、前壁４に適用した前記緩衝部材８０の一部を切欠き、該切欠き部よりターゲット７０を目視可能にする。
【００５１】
以下、本発明によって前記のように構成された射撃ゲーム装置の作動を説明する。
【００５２】
前記回転リング１４は前記コネクタ１０により前記ハウジング１の前壁４に形成された開口部６内で前記コネクタ１０のシャフト３６を軸として左右方向に回転可能に装着される。なお、前記銃２は前記スタッド１６の間に配置された後、前記連結プレート２２及びボルト２８により前記スタッド１６に回転可能に連結されて前記回転リング１４内で前記スタッド１６を軸として上下方向に回転するようになる。結果的に、前記銃２は前記シャフト３６と前記スタッド１６とを軸として四方に制御されることができる。従って、銃２をハウジング１に対し上下及び左右方向ばかりか、斜め方向にも揺動させることが可能となり、ターゲット７０に向けて、銃２の照準を自在に合わせることができる。
【００５３】
前記ハウジング１の前壁４は透明材質よりなるので、遊戯者は透明な前壁４を通して前記ターゲットを見ながら照準を合わせることができる。
【００５４】
弾丸が圧縮空気の力により前記銃２から発射され、ターゲットを外れると、前記弾丸は壁に衝突するようになる。この場合、壁に対する弾丸の衝撃力は前記壁に適用された衝撃緩和手段８０により吸収されるので弾丸の反発速度が落ち、弾丸が衝撃により破損することを防止することができる。
【００５５】
前記ターゲット６０は、ターゲット６０の掛け片６３を前記スロット７１に挿入してから下方に引くことによって、ターゲット６０のネック６４が前記スロット７１の狭い開口部７１bにかみ合った状態で前記掛け片６３が掛けられるようになってターゲットホルダー７０に装着される。
【００５６】
前記ターゲット６０は薄くて破れ易い材質で作られるので、数回の命中で破れてしまい、結果的に前記ターゲットの下端に吊り下げられている景品は落下するようになる。弾丸により破れてしまったターゲット６０は新しいものに取替えなければならないが、この場合前記ターゲット６０は前記掛け片６３を前記スロット７１の広い開口部７１aに位置するように押し上げてから前方に引くことによって容易に取り外せ、前記のような方法により新しいターゲットを再度装着することができる。
【００５７】
【発明の効果】
以上のように、本発明は下記のような効果を得る。
【００５８】
前記のように、本発明による射撃ゲーム装置はハウジングの内壁に緩衝部材が適用されて、ターゲットを外れた弾丸が壁にぶつかる衝撃により破損することを防止するだけでなく、反発速度を落とすことができる。
【００５９】
なお、銃がハウジングの前壁に、支持手段により二つの軸の上で回転可能に固定されているので、照準を合わせる時安定性を向上させるだけでなく、射撃を行わない時に銃の盗難を防止することができる。
【００６０】
さらに、ターゲットの取替時、ターゲットホルダーを射撃ゲーム装置から分離することが不要なので、ターゲットの取替時の手間を省くことができる。
【００６１】
以上、本発明の実施の形態について説明したが、本発明のこうした実施の形態に何ら限定されるものでなく、発明の要旨を逸脱しない範囲内において、種々なる態様で実施し得ることは勿論である。
【００６２】
例えば、前記銃２は、前記ハウジング１の前壁４に２個以上装着してもかまわない。銃２を前壁４に左右方向に並列配置すれば複数の遊戯者が同じに射撃を行うことができるし、上下方向に並列配置することで遊戯者が自分の身長に適した銃２を選択して射撃を行うことが可能となる。
【００６３】
また、前記銃２の装着は前壁４のみに限定されず、左右の壁面に装着してもよい。この場合、前記ターゲット６０及びターゲットホルダー７０は、ハウジング１の略中央部に配置し、ハウジング１の全周方向から射撃を行えるようにすることが好ましい。
【００６４】
前記実施の形態では、ハウジング１は四角ボックス状であるが、円形状あるいは多角形状であってもかまわない。また、前記開口部６及び回転リング１４も、多角形または楕円形状等、円形以外の形状であってもかまわない。
【００６５】
さらに、前記ターゲット６０及びターゲットホルダー７０は、ハウジング１に対して固定であってもよいし、あるいは請求項８の如く、移動手段及び駆動手段を用いて移動可能に設けてもよい。前記移動手段は及び駆動手段は、実施可能な公知の技術を用いて実施することができる。
【００６６】
また、前記緩衝部材は弾丸の衝撃が吸収される形状であれば、前記の形状に限定されないし、材質もゴムなど公知の衝撃吸収材の他、衝撃を吸収し得る材質で形成することができる。
【図面の簡単な説明】
【図１】従来の射撃ゲーム装置を示す斜視図である。
【図２】図１の射撃ゲーム装置に景品と共に装着されたターゲットを示す斜視図である。
【図３】本発明の望ましい実施の形態による射撃ゲーム装置を示す概略図である。
【図４】図３の射撃ゲーム装置の銃支持手段に銃が装着された状態を示す斜視図である。
【図５】図３の射撃ゲーム装置の銃支持手段を示す斜視図である。
【図６】銃支持手段が組立てられる過程を示す分解斜視図である。
【図７】銃支持手段が射撃ゲーム装置のハウジングに装着される過程を示す斜視図である。
【図８】銃が銃支持手段によりハウジングに装着される過程を示す斜視図である。
【図９】本発明の射撃ゲーム装置のターゲットホルダー及びターゲットを示す斜視図である。
【図１０】ターゲットがターゲットホルダーに装着される過程を説明するための斜視図である。
【図１１】本発明による射撃ゲーム装置のハウジングの内壁を示す部分斜視図である。
【図１】
0003762296.tif 000002
【図２】
0003762296.tif 000003
【図３】
0003762296.tif 000004
【図４】
0003762296.tif 000005
【図５】
0003762296.tif 000006
【図６】
0003762296.tif 000007
【図７】
0003762296.tif 000008
【図８】
0003762296.tif 000009
【図９】
0003762296.tif 000010
【図１０】
0003762296.tif 000011
【図１１】
0003762296.tif 000012